(57)【要約】【課題】扉の内部の加工を最小限に抑え、複数の電気錠に対するケーブルの配線作業を容易に行うことができる電気錠システムを提供する。【解決手段】  本発明の電気錠システム１は、扉２の室外側壁面２ｃに設けられる室外側ハンドル５と、室外側ハンドル５に回動可能に支持される室外側レバー６と、室外側レバー６の回動に伴って扉２の木口２ａに対してラッチボルト７ａを進退移動させるラッチ錠７と、室外側ハンドル５を両端から挟むような位置で扉２に内設され、施解錠操作装置８に対する操作に基づいて施解錠される複数の電気錠９，１０と、複数の電気錠９，１０にそれぞれ電気的に接続され、室外側ハンドル５に内設されるケーブル５７〜５９と、を備え、ケーブル５７〜５９は、室外側レバー６の回動範囲を避けて室外側ハンドル５を貫通するように配設されている。【選択図】図２
2015129401.tif 000002
【特許請求の範囲】
【請求項１】
扉の壁面に設けられるハンドルと、
前記ハンドルに回動可能に支持される操作レバーと、
前記操作レバーの回動に伴って前記扉の木口に対してラッチボルトを進退移動させるラッチ錠と、
前記ハンドルを両端から挟むような位置で前記扉に内設され、施解錠操作装置に対する操作に基づいて施解錠される複数の電気錠と、
前記複数の電気錠にそれぞれ電気的に接続され、前記ハンドルに内設されるケーブルと、を備え、
前記ケーブルは、前記操作レバーの回動範囲を避けて前記ハンドルを貫通するように配設されていることを特徴とする電気錠システム。
【請求項２】
前記ハンドルは、
前記扉の壁面に離間して固定される一対の台座の間を連結する固定グリップと、
前記固定グリップの前記扉側に開口部を有するレバー挿入部と、を有し、
前記操作レバーは、
前記レバー挿入部に挿入され、付勢手段によって前記扉側に向けて付勢される状態で室内外方向に回動可能に設けられ、前記扉側に回動したときに前記開口部から前記固定グリップの外側に突出する操作部を有していることを特徴とする請求項１に記載の電気錠システム。
【請求項３】
前記ハンドルは、
前記扉の壁面に離間して固定される一対の台座の間を連結する固定グリップと、
前記固定グリップの前記扉とは反対側に開口部を有するレバー挿入部と、を有し、
前記操作レバーは、
前記レバー挿入部に挿入され、付勢手段によって前記扉とは反対側に向けて付勢される状態で室内外方向に回動可能に設けられ、前記扉とは反対側に回動したときに前記開口部から前記固定グリップの外側に突出する操作部を有していることを特徴とする請求項１に記載の電気錠システム。
【請求項４】
前記ハンドルの内部において前記ケーブルを保持するケーブル保持部を備えていることを特徴とする請求項１ないし３のいずれかに記載の電気錠システム。
【発明の詳細な説明】
【技術分野】
【０００１】
本発明は、扉の木口に対して進退可能なデッドボルトを電気的に駆動させて施解錠制御する電気錠システムに関する。
【背景技術】
【０００２】
近年、商業施設、公共施設および集合住宅等の出入口や一般住宅の玄関等には、セキュリティや操作性の向上を目的として、ＩＣカード、タグ若しくはキー等をリーダにかざすことによって電気的に施解錠される電気錠システムが設置されることが多い。
【０００３】
従来、この種の電気錠システムとして、扉の木口から出没方向に変位するデッドボルトを有する電気錠を２つ備えたものが知られている（例えば、特許文献１参照）。この電気錠システムでは、２つの電気錠同士が、扉に内設されたケーブルによって接続されている。
【先行技術文献】
【特許文献】
【０００４】
【特許文献１】特開２００８−１８４７４４号公報
【発明の概要】
【発明が解決しようとする課題】
【０００５】
一般的に、扉の内部には断熱材や補強部材等が配置（または充填）されている。しかしながら、従来の電気錠システムでは、各電気錠の間を接続するケーブルを扉の内部に配線しなければならないため、扉内部の断熱材や補強部材等を除去または回避しながら配線を行う必要があった。このような配線作業は、加工が難しく施工時間もかかるという問題があった。
【０００６】
また、扉の内部の配線スペースを確保するために断熱材や補強部材等を除去した場合、扉の断熱性能や強度性能が若干低下する虞もあった。
【０００７】
本発明は、扉の内部の加工を最小限に抑え、複数の電気錠に対するケーブルの配線作業を容易に行うことができる電気錠システムを提供することを目的とする。
【課題を解決するための手段】
【０００８】
上記した目的を達成するため、本発明の電気錠システムは、扉の壁面に設けられるハンドルと、前記ハンドルに回動可能に支持される操作レバーと、前記操作レバーの回動に伴って前記扉の木口に対してラッチボルトを進退移動させるラッチ錠と、前記ハンドルを両端から挟むような位置で前記扉に内設され、施解錠操作装置に対する操作に基づいて施解錠される複数の電気錠と、前記複数の電気錠にそれぞれ電気的に接続され、前記ハンドルに内設されるケーブルと、を備え、前記ケーブルは、前記操作レバーの回動範囲を避けて前記ハンドルを貫通するように配設されていることを特徴とする。
【０００９】
この構成によれば、扉内部にケーブルを通すことなく、ハンドルの内部に設けられたケーブルを介して、扉内に配置された各電気錠を互いに接続することができる。これにより、扉の内部に対する配線のための加工を省略することができ、容易且つ短時間でケーブルの配線作業を行うことができる。また、例えば工場出荷時等、予めハンドル内にケーブルを配設可能であるため、電気錠（電気錠システム）の施工現場での作業工程を簡略化することができる。さらに、扉の内部の断熱材や補強部材等を除去加工が不要であるため、扉の断熱性能や強度性能を高く維持することができる。
【００１０】
また、操作レバーの回動範囲外にケーブルが配設されているため、操作レバーとハンドルとの間にケーブルが挟まれることを防止することができる。これにより、ケーブルの損傷（断線）を適切に防止することができる。
【００１１】
この場合、前記ハンドルは、前記扉の壁面に離間して固定される一対の台座の間を連結する固定グリップと、前記固定グリップの前記扉側に開口部を有するレバー挿入部と、を有し、前記操作レバーは、前記レバー挿入部に挿入され、付勢手段によって前記扉側に向けて付勢される状態で室内外方向に回動可能に設けられ、前記扉側に回動したときに前記開口部から前記固定グリップの外側に突出する操作部を有していることが好ましい。
【００１２】
この構成によれば、例えば、固定グリップを牽引して扉を開放する場合、当該扉を開放する動作に連動して、操作レバーを回動させることができる。これにより、ユーザは、ラッチボルトの解除を意識することなく容易に扉を開放することができる。
【００１３】
この場合、前記ハンドルは、前記扉の壁面に離間して固定される一対の台座の間を連結する固定グリップと、前記固定グリップの前記扉とは反対側に開口部を有するレバー挿入部と、を有し、前記操作レバーは、前記レバー挿入部に挿入され、付勢手段によって前記扉とは反対側に向けて付勢される状態で室内外方向に回動可能に設けられ、前記扉とは反対側に回動したときに前記開口部から前記固定グリップの外側に突出する操作部を有していることが好ましい。
【００１４】
この構成によれば、例えば、固定グリップを押圧して扉を開放する場合、当該扉を開放する動作に連動して、操作レバーを回動させることができる。これにより、ユーザは、ラッチボルトの解除を意識することなく容易に扉を開放することができる。
【００１５】
これらの場合、前記ハンドルの内部において前記ケーブルを保持するケーブル保持部を備えていることが好ましい。
【００１６】
この構成によれば、ハンドル内でケーブルの位置ずれを防止することができると共に、ケーブルを迅速且つ正確にハンドル内に配設することができる。
【発明の効果】
【００１７】
本発明によれば、扉内部の加工を最小限に抑え、複数の電気錠に対するケーブルの配線作業を容易化可能な電気錠システムを得ることができる。
【図面の簡単な説明】
【００１８】
【図１】本発明の第１実施形態に係る電気錠システムを示す概略図である。
【図２】本発明の第１実施形態に係る電気錠システムの室内側ハンドルおよび室外側ハンドルを示す側断面図である。
【図３】本発明の第１実施形態に係る電気錠システムのラッチ錠を示す側断面図である。
【図４】本発明の第１実施形態に係る電気錠システムの各ケーブルの配線状態を示す説明図である。
【図５】図２のＡ−Ａ断面図である。
【図６】本発明の第２実施形態に係る電気錠システムの室内側ハンドルの一部を模式的に示す側断面図である。
【発明を実施するための形態】
【００１９】
以下、本発明の実施の形態について、添付した図面を参照しながら説明する。なお、以下、説明の便宜のため、適宜図面に矢印で示すように各方向を規定する。
【００２０】
＜第１実施形態＞
図１ないし図５を参照して、本発明の実施の形態に係る電気錠システム１について説明する。ここで、図１は電気錠システム１を示す概略図、図２は室内側ハンドル３および室外側ハンドル５を示す側断面図である。図３はラッチ錠７を示す側断面図である。図４は電気錠システム１の各ケーブルの配線状態を示す説明図である。図５は、図２のＡ−Ａ断面図である。
【００２１】
図１および図２に示すように、電気錠システム１は、扉２の壁面の室内側に固定される室内側ハンドル３と、室内側ハンドル３の後側（室内側）に回動可能に支持される室内側レバー４と、扉２の壁面の室外側に固定される室外側ハンドル５と、室外側ハンドル５の後側（壁面側）に回動可能に支持される室外側レバー６と、各レバー４，６の回転に伴って扉２の木口２ａに対してラッチボルト７ａを進退移動させるラッチ錠７と、室外側ハンドル５に内設される施解錠操作装置８と、施解錠操作装置８に対する操作に基づいて施解錠される主電気錠９および副電気錠１０と、各電気錠９，１０の駆動電源となる電池６２を保持し、室内側ハンドル３に内設される電池収容装置１１と、を備えている。
【００２２】
図２に示すように、室内側ハンドル３は、扉２の室内側壁面２ｂに上下方向に離間して固定される上室内側台座１３および下室内側台座１４と、上下一対の室内側台座１３，１４の間に連結される固定グリップとしての室内側グリップ１５と、を有し、全体として後方（室内側）に僅かに湾曲したアーチ形状に構成されている。また、室内側ハンドル３には、室内側グリップ１５の後側（扉２とは反対側）に室内側開口部１６ａを有する室内側レバー挿入部１６が凹設されている。室内側レバー挿入部１６は、上室内側台座１３の下側から室内側グリップ１５の上下方向略中央に亘って形成されている。
【００２３】
上室内側台座１３の下側内部には、室内側レバー挿入部１６に連なる内側配設空間Ｓ１が形成されている。上室内側台座１３の前側には、室内側ブラケット１７が複数の固定ネジＢ１によって固定されている。室内側ブラケット１７の上下方向略中央には、ブラケット挿通孔１７ａが穿設されている。室内側ブラケット１７の一部は、内側配設空間Ｓ１内に配設されている。内側配設空間Ｓ１内の室内側ブラケット１７には、上下方向に離間してレバー回転軸１７ｂとラッチ回転軸１７ｃとが左右方向に架設されている。
【００２４】
室内側ブラケット１７と室内側壁面２ｂとの間に配設される室内側裏板１８は、複数の固定ネジＢ２によって扉２に固定されると共に、複数のネジ（図示せず）によって上室内側台座１３に固定されている。室内側裏板１８には、室内側ブラケット１７のブラケット挿通孔１７ａと対応する位置に裏板挿通孔１８ａが穿設されている。
【００２５】
室内側レバー４は、上下方向に長く形成されており、室内側開口部１６ａから室内側レバー挿入部１６に挿入されている。室内側レバー４の上部には、レバー側取付部２０が設けられている。レバー側取付部２０の上部には、レバー回転軸１７ｂが貫挿されている。レバー回転軸１７ｂには、付勢手段としての捩りコイルバネ２２が巻回している。室内側レバー４は、捩りコイルバネ２２によって後側に向けて付勢される状態でレバー回転軸１７ｂを中心として前後方向に回動可能に支持されている。なお、レバー側取付部２０には、各回転軸１７ｂ，１７ｃとの間に軸状部２０ａが挿着されている。
【００２６】
また、室内側レバー４の下部には、ユーザによって操作される操作部２１が設けられている。操作部２１は、室内側レバー４が後方（室内側）に回動した状態で、室内側グリップ１５の外側（表面よりも後方）に突出するように設けられている。
【００２７】
室内側ラッチバー２３は、側面視で略Ｌ字状に形成されている。室内側ラッチバー２３の下部にはラッチ回転軸１７ｃが貫挿され、室内側ラッチバー２３の上部には軸状部２０ａが遊挿されている。これにより、室内側ラッチバー２３は、ラッチ回転軸１７ｃを中心として前後方向に回動可能に支持されている。室内側ラッチバー２３の突起片２３ａは、ブラケット挿通孔１７ａおよび裏板挿通孔１８ａを通って扉２の内部に挿入されている。
【００２８】
下室内側台座１４の上側には、後面側を開放する電源凹部１４ａが凹設されている。電源凹部１４ａには、カバー２５が着脱可能に取り付けられている。下室内側台座１４は、カバー２５を取り付けた状態で、上室内側台座１３を上下反転させたような外観を成している。下室内側台座１４と室内側壁面２ｂとの間に配設される室内側裏板２４は、複数の固定ネジＢ３によって扉２に固定されると共に、複数の固定ネジＢ４によって下室内側台座１４に固定されている。
【００２９】
上室内側台座１３の上部および下室内側台座１４の下部には、それぞれ、各電気錠９，１０に取り付けられたサムターン９ｂ，１０ｂを室内側に露出させるためのサムターン開口部３ａ，３ｂが貫通形成されている。サムターン開口部３ｂの下側には、扉２の内部に連通する室内側配線孔１４ｂが開口しており、ハーネスカバー１４ｃによって覆われて接続空間Ｓ２が形成されている。
【００３０】
次に、図２に示すように、室外側ハンドル５は、扉２の室外側壁面２ｃに上下に離間して固定される上室外側台座３０および下室外側台座３１と、上下一対の室外側台座３０，３１の間に連結される固定グリップとしての室外側グリップ３２と、を有し、全体として前方（室外側）に僅かに湾曲したアーチ形状に構成されている。また、室外側ハンドル５には、室外側グリップ３２の前側（扉２に対向する側）に室外側開口部３３ａを有する室外側レバー挿入部３３が凹設されている。室外側レバー挿入部３３は、上室外側台座３０の下側から室外側グリップ３２の上下方向略中央に亘って形成されている
【００３１】
上室外側台座３０の下側内部には、室外側レバー挿入部３３に連なる上台座空間Ｓ３が形成されている。上室外側台座３０の後側（扉２側）には、室外側ブラケット３４がネジ留め固定されている。室外側ブラケット３４の上下方向略中央には、ブラケット挿通孔３４ａが穿設されている。室外側ブラケット３４の一部は、上台座空間Ｓ３内に配設されている。上台座空間Ｓ３内の室外側ブラケット３４には、上下方向略中央にラッチ回転軸３４ｂが左右方向に架設され、上部にレバー回転軸３４ｃが左右方向に架設されている。
【００３２】
室外側レバー６は、上下方向に長く形成されており、室外側開口部３３ａから室外側レバー挿入部３３に挿入されている。室外側レバー６の上部には、レバー側取付部３５が設けられている。レバー側取付部３５の上部には、レバー回転軸３４ｃが貫挿されている。レバー側取付部３５の上下方向略中央部には、ラッチ回転軸３４ｂの一端部が遊嵌する横長孔３５ａが穿設されている。レバー側取付部３５の下部には、軸状部３５ｂが挿着されている。ラッチ回転軸３４ｂには、付勢手段としての捩りコイルバネ３８が巻回している。室外側レバー６は、捩りコイルバネ３８によって後側に向けて付勢される状態でレバー回転軸３４ｃを中心として前後方向に回動可能に支持されている。
【００３３】
また、室外側レバー６の下部には、ユーザによって操作される操作部３６が設けられている。操作部３６は、室外側レバー６が後側に回動した状態で、室外側グリップ３２の外側（後面よりも後方）に突出するように設けられている。
【００３４】
室外側ラッチバー３７は、側面視で略Ｌ字状に形成されている。室外側ラッチバー３７の上部にはラッチ回転軸３４ｂが貫挿され、室外側ラッチバー３７の下部には軸状部３５ｂが遊挿されている。これにより、室外側ラッチバー３７は、ラッチ回転軸３４ｂを中心として前後方向に回転可能な状態で支持されている。室外側ラッチバー３７の突起片３７ａは、ブラケット挿通孔３４ａを通って扉２の内部に挿入されている。
【００３５】
下室外側台座３１の上側内部には下台座空間Ｓ４が形成されている。上室外側台座３０の上部および下室外側台座３１の下部には、それぞれ、各電気錠９，１０に取り付けられたシリンダ９ｃ，１０ｃを室外側に露出させるためのシリンダ開口部５ａ，５ｂが貫通形成されている。上室外側台座３０および下室外側台座３１には、それぞれ、各シリンダ９ｃ，１０ｃを覆うようにシリンダカバー３０ａ，３１ａが着脱可能に設けられている。上室外側台座３０の上端部および下室外側台座３１の下端部には、それぞれ、扉２の内部に連通する上室外側配線孔３０ｂおよび下室外側配線孔３１ｂが開口している。
【００３６】
室外側グリップ３２は、配線空間Ｓ５を構成するグリップ凹部３２ａが凹設されるグリップ本体３９ａと、グリップ凹部３２ａを覆うようにグリップ本体３９ａに設けられるグリップカバー３９ｂと、を含んで構成されている。
【００３７】
グリップ凹部３２ａは、上室外側台座３０から下室外側台座３１に亘って形成され、配線空間Ｓ５は、上台座空間Ｓ３と下台座空間Ｓ４とを連通させている。グリップカバー３９ｂは、上室外側台座３０および下室外側台座３１の内側から固定ネジＢ５によって着脱可能に固定されている。グリップ凹部３２ａの底部は、配線空間Ｓ５と室外側レバー挿入部３３とを仕切る隔壁３２ｂを構成している。
【００３８】
図３に示すように、ラッチ錠７は、扉２の内設される錠ケース４０と、錠ケース４０の内部に配置されるラッチボルト７ａと、上下一対の係止片４１，４２と、一対の作動片４３，４４と、を有している。
【００３９】
錠ケース４０は、錠ケース取付板４０ａを介して扉２の木口２ａにネジ留め固定されている。ラッチボルト７ａは、コイルバネ７ｂによって木口２ａから突出するように付勢され、扉枠２ｄに凹設されるストライク２ｅに進入し、扉２の閉止状態（仮閉り状態）が保持されている。
【００４０】
上側の係止片４１は、第１支点４１ａに回動可能に支持されている。係止片４１の木口２ａ側には、ラッチボルト７ａの鍔部７ｃに係合する係止突起４１ｂが下方に向かって突設されている。係止片４１の吊元側（木口２ａの反対側）には、被押圧部４１ｃが上方に向かって突設されている。係止片４１の左右方向略中央には、連結腕部４１ｄが下方に延出し、連結腕部４１ｄの下端部には係合突起４１ｅが設けられている。
【００４１】
下側の係止片４２は、上記した係止片４１を上下反転させたような形状であり、係止突起４２ｂ、被押圧部４２ｃおよび連結腕部４２ｄを有し、第２支点４２ａに回動可能に支持されている。連結腕部４２ｄの上端部には、係合穴４２ｅが設けられ、この係合穴４２ｅに係合突起４１ｅが係合することでリンク４５が形成される。第２支点４２ａの周りには、ラッチボルト７ａを係止姿勢（図３の実線参照）とするように各係止片４１，４２を付勢する付勢バネ４６が巻回されている。
【００４２】
各作動片４３，４４は、それぞれ、上下動可能に構成されている。一方の作動片４３の上部には、係止片４１の被押圧部４１ｃと当接する押圧部４３ａが設けられている。作動片４３の下部には、各ラッチバー２３，３７と当接する当接部４３ｂが設けられている。同様に、他方の作動片４４の下部には係止片４２の被押圧部４２ｃと当接する押圧部４４ａが設けられ、その上部には当接部４４ｂが設けられている。
【００４３】
次に、図２および図３を参照して、ラッチ錠７の作用について説明する。扉２が閉止された状態では、室内側レバー４は捩りコイルバネ２２によって後方に付勢され、室外側レバー６は捩りコイルバネ３８によって後方に付勢されている。また、付勢バネ４６によって各係止突起４１ｂ、４２ｂがラッチボルト７ａの鍔部７ｃを係止しており、扉２の木口２ａからのラッチボルト７ａの退避が規制されている（図３の実線参照）。
【００４４】
この状態で、室内側から扉２を開放する場合、ユーザは、室内側ハンドル３（室内側グリップ１５）の押し出しに連動して室内側レバー４の操作部２１を前方に押圧する。すると、室内側レバー４がレバー回転軸１７ｂを中心に前方に回動し、室内側レバー４の軸状部２０ａが室内側ラッチバー２３を前方に押圧する。これにより、室内側ラッチバー２３は、ラッチ回転軸１７ｃを中心に回動し、突起片２３ａが下方に移動する。
【００４５】
突起片２３ａは作動片４３の当接部４３ｂを下方に押圧し、作動片４３が下方に移動する。これに伴って、作動片４３の押圧部４３ａが被押圧部４１ｃを押下げ、付勢バネ４６の付勢力に抗して係止片４１が回動する。同様に、リンク４５を介して接続された係止片４２も回動する（図３の二点鎖線参照）。これにより、係止突起４１ｂおよび係止突起４２ｂによるラッチボルト７ａの係止が解除され、ラッチボルト７ａが扉２の木口２ａから退避可能となる。
【００４６】
一方、室外側から扉２を開放する動作も上記と同様である。すなわち、ユーザは、室外側ハンドル５（室外側グリップ３２）の引き寄せに連動して室外側レバー６の操作部３６を前方に牽引する。すると、室外側レバー６がレバー回転軸３４ｃを中心に前方に回動し、室外側レバー６の軸状部３５ｂが室外側ラッチバー３７を前方に押圧する。これにより、室外側ラッチバー３７はラッチ回転軸３４ｂを中心に回動し、その突起片３７ａが下方に移動する。なお、突起片３７ａの移動に伴うラッチ錠７の動作は、室内側から扉２を開放する場合と同様であるため、その説明は省略する。
【００４７】
以上のように、各レバー４，６の回動に伴ってラッチボルト７ａを進退させる構成であるため、例えば、各ハンドルを回動させる構成に比して、ラッチボルト７ａの進退移動に必要な力を小さくすることができる。これにより、ユーザの操作感を向上させることができる。また、室内側グリップ１５を押圧して扉２を開放する場合、または、室外側グリップ３２を牽引して扉２を開放する場合、扉２を開放する動作に連動して、レバー４，６を回動させることができる。これにより、ユーザは、ラッチボルト７ａの解除を意識することなく容易に扉２を開放することができる。
【００４８】
図２に示すように、施解錠操作装置８は、外部の通信媒体との間で通信を行う通信ユニット５０と、室外側グリップ３２の室外側に露出するプッシュボタン５１と、を含んで構成されている。通信ユニット５０は、非接触型のＩＣカード１００の情報を読み取るリーダ基板５２と、携帯型キー１０１との間で無線通信を行うアンテナ基板５３と、を含んで構成されている。
【００４９】
リーダ基板５２は、配線空間Ｓ５の上部（室外側レバー６の前側）に収容され、略起立姿勢でグリップカバー３９ｂの後面に設けられる上側インナーカバー５５に固定されている。リーダ基板５２には、基板スイッチ５２ａやリーダ側コネクタ５２ｂ，５２ｃ等が実装されている。アンテナ基板５３は、配線空間Ｓ５と下台座空間Ｓ４とを跨ぐように配置され、略起立姿勢でグリップカバー３９ｂの後面に設けられる下側インナーカバー５６に固定されている。アンテナ基板５３の表裏には、それぞれアンテナ側コネクタ５３ａ，５３ｂ等が実装されている。
【００５０】
なお、リーダ基板５２には、制御回路（図示せず）が組み込まれており、この制御回路は、例えば、読み取った認証情報が正しい認証情報であるか否かを判別する機能等を有している。また、例えば、制御回路は、主電気錠９を施錠した場合に副電気錠１０も同時に施錠する施錠追従機能や、２つの電気錠９，１０のうち一方のみを解錠し、一定時間内に他方の電気錠を解錠しない場合に解錠した一方の電気錠を再び自動で施錠する施錠復帰機能を有している。
【００５１】
プッシュボタン５１は、グリップカバー３９ｂに開口する外側ボタン穴３９ｃから外部に露出するように配設されている。プッシュボタン５１は、上側インナーカバー５５に対して前後方向に移動可能に支持され、図示しないバネによって前方に向かって付勢されている。プッシュボタン５１の後端部は基板スイッチ５２ａ上に位置し、露出したプッシュボタン５１を押下げると、リーダ基板５２の基板スイッチ５２ａが押下げられる。
【００５２】
リーダ基板５２の上部のリーダ側コネクタ５２ｂには、第１制御ケーブル５７の一端側のプラグコネクタ（図示せず）が接続されている。第１制御ケーブル５７の他端側には、第１ソケット５７ａが取り付けられている。
【００５３】
リーダ基板５２の下部のリーダ側コネクタ５２ｃには、内設ケーブル５８の一端側のプラグコネクタ（図示せず）が接続され、アンテナ基板５３の後面のアンテナ側コネクタ５３ａには、内設ケーブル５８の他端側のプラグコネクタ（図示せず）が接続されている。これにより、リーダ基板５２とアンテナ基板５３とが、内設ケーブル５８によって電気的に接続される。
【００５４】
また、アンテナ基板５３の前面のアンテナ側コネクタ５３ｂには、第２制御ケーブル５９の一端側のプラグコネクタ（図示せず）が接続されている。第２制御ケーブル５９の他端側は２本に分岐しており、分岐した一方には第２ソケット５９ａが取り付けられ、他方には電源ソケット５９ｂが取り付けられている。
【００５５】
なお、第１制御ケーブル５７、内設ケーブル５８および第２制御ケーブル５９は、それぞれ、制御線や電力線等を束ねて構成されている。
【００５６】
図１および図２に示すように、主電気錠９および副電気錠１０は、各ハンドル３，５を上下方向両端から挟むような位置で扉２に内設されている。
【００５７】
主電気錠９は、上室内側台座１３と上室外側台座３０との間に挟まれるように扉２の内部に設けられ、木口２ａに対してデッドボルト９ａを進退させるモータやソレノイド等の駆動手段を制御する電気基板（いずれも図示せず）等を備えている。主電気錠９の室内側には、手動でデッドボルト９ａを進退操作するためのサムターン９ｂが設けられている。主電気錠９の室外側には、機械的キー（図示せず）を挿入して施解錠操作を行うシリンダ９ｃが設けられている。
【００５８】
副電気錠１０は、主電気錠９と同様に、下室内側台座１４と下室外側台座３１との間に挟まれるように扉２の内部に設けられ、デッドボルト１０ａ、サムターン１０ｂおよびシリンダ１０ｃが設けられている。
【００５９】
また、図４に示すように、主電気錠９には第１錠側ケーブル６０が接続され、副電気錠１０には第２錠側ケーブル６１が接続されている。第１錠側ケーブル６０の先端部には第１錠側プラグ６０ａが取り付けられ、第２錠側ケーブル６１の先端部には第２錠側プラグ６１ａが取り付けられている。
【００６０】
図４に示すように、電池収容装置１１は、４本の電池６２（図４では２本の円筒型の乾電池を図示する。）と、各電池６２を縦向きに保持するカートリッジ６３と、を含んで構成されている。なお、以降の説明では、前後方向を「奥行方向」とも呼ぶこととし、前側を「奥側」とも呼び、後側を「手前側」とも呼ぶこととする。
【００６１】
カートリッジ６３は、絶縁性の樹脂材料で室内側を開放した略箱状に一体形成されている。カートリッジ６３は、下室内側台座１４に形成された電源凹部１４ａ内に収容されている。カートリッジ６３の上下両端面には、前後方向略中間に段部６３ａが形成され、奥側が一段下がっている。カートリッジ６３には、４本の電池６２が、平面視で前後左右に２行２列の格子状に配置されている。また、手前側の２本の電池６２は、奥側の２本の電池６２よりも上方に位置ずれして保持されている。なお、カートリッジ６３は、上面に形成される取付片６３ｂを介して電源凹部１４ａ内にネジ留め固定されている。
【００６２】
図示は省略するが、カートリッジ６３には、保持した各電池６２によって適正な電気回路を形成するように配線がなされている。また、カートリッジ６３からは電源ケーブル６４が延びており、その先端部には、電源プラグ６４ａが取り付けられている。電源プラグ６４ａは、下室内側台座１４の接続空間Ｓ２に収容されている。
【００６３】
ところで、リーダ基板５２の制御回路による各種機能を実現するために、リーダ基板５２とアンテナ基板５３とは、主電気錠９および副電気錠１０に各種ケーブルを介して電気的に接続されている。具体的には、主電気錠９とリーダ基板５２とは、第１錠側ケーブル６０および第１制御ケーブル５７によって接続されている。アンテナ基板５３と副電気錠１０とは、第２制御ケーブル５９および第２錠側ケーブル６１によって接続されている。
【００６４】
図２に示すように、第１制御ケーブル５７は、リーダ基板５２の上部から上方に延出し、室外側レバー６の回動範囲を避けて室外側ハンドル５（上室外側台座３０）を上下方向に貫通するように配設されている。第１制御ケーブル５７の上端部に取り付けられた第１ソケット５７ａは、上室外側台座３０の上室外側配線孔３０ｂを通って扉２の内部に進入している。
【００６５】
リーダ基板５２とアンテナ基板５３とを接続する内設ケーブル５８は、上記した室外側グリップ３２の配線空間Ｓ５に配設されている。図２および図５に示すように、内設ケーブル５８は、グリップ凹部３２ａの底部（隔壁３２ｂ）に設けられるケーブル保持部６５に保持されている。ケーブル保持部６５は、隔壁３２ｂを挟んで室外側レバー挿入部３３の下端部の反対側に設けられている。ケーブル保持部６５は、グリップ凹部３２ａの底部から前方に向けて突出する一対の挟持片６５ａを有し、内設ケーブル５８を挟持可能な略Ｕ字状に形成されている。
【００６６】
一対の挟持片６５ａに内設ケーブル５８を挟持させることで、内設ケーブル５８が配線空間Ｓ５の所定位置に配設される。これにより、室外側ハンドル５内で内設ケーブル５８の位置ずれを防止することができると共に、内設ケーブル５８を迅速且つ正確に室外側ハンドル５内に配設することができる。なお、内設ケーブル５８は、室外側ハンドル５の内部（ケーブル保持部６５）に取り付けられた状態で工場出荷される。
【００６７】
図２に示すように、ケーブル保持部６５に保持された内設ケーブル５８は、配線空間Ｓ５から下台座空間Ｓ４に向けて下方に延出し、アンテナ基板５３の後面（裏面）に沿って配設されている。内設ケーブル５８は、アンテナ基板５３の下側でＵターンして、アンテナ基板５３のアンテナ側コネクタ５３ａに接続されている。
【００６８】
第２制御ケーブル５９は、アンテナ基板５３の下部から下方に延出している。上記したように第２制御ケーブル５９は下側で分岐しており、その一方の先端部に取り付けられた第２ソケット５９ａは、下室外側台座３１の下室外側配線孔３１ｂを通って扉２の内部に進入している。また、他方の先端部に取り付けられた電源ソケット５９ｂは、下室外側配線孔３１ｂから扉２を貫通し、室内側配線孔１４ｂを通って接続空間Ｓ２の内部に進入している（図４参照）。
【００６９】
次に、主電気錠９および副電気錠１０に対する各種ケーブルの接続作業について説明する。なお、室内側ハンドル３は扉２の室内側壁面２ｂに取り付けられているものとする。また、リーダ基板５２とアンテナ基板５３とは、内設ケーブル５８を介して接続されているものとする。また、リーダ基板５２には第１制御ケーブル５７が接続され、アンテナ基板５３には第２制御ケーブル５９が接続されているものとする。
【００７０】
まず、作業者は、主電気錠９の第１錠側プラグ６０ａおよび副電気錠１０の第２錠側プラグ６１ａを、扉２の上室外側配線孔３０ｂおよび下室外側配線孔３１ｂから室外側に引き出す。引き出した第１錠側プラグ６０ａと第１制御ケーブル５７の第１ソケット５７ａとを接続する。同様に、引き出した第２錠側プラグ６１ａと第２制御ケーブル５９の第２ソケット５９ａとを接続する。これにより、主電気錠９および副電気錠１０は、それぞれ施解錠操作装置８に電気的に接続される。その後、作業者は、接続された各コネクタ（プラグおよびソケット）を扉２の内部に収容する（図４参照）。
【００７１】
一方、第２制御ケーブル５９の電源ソケット５９ｂは、接続空間Ｓ２内において、電源プラグ６４ａに接続される（図４参照）。これにより、電池収容装置１１から施解錠操作装置８、主電気錠９および副電気錠１０等に電力が供給される。
【００７２】
主電気錠９および副電気錠１０に各種ケーブルが接続された状態で、室外側ハンドル５は扉２の室外側壁面２ｃに取り付けられる。
【００７３】
次に、図２を参照して、電気錠システム１の動作について説明する。なお、施解錠操作装置８および各電気錠９，１０には、電池収容装置１１から電力が供給されているものとする。
【００７４】
室外側から入室しようとする者（ユーザ）は、プッシュボタン５１を押した後にＩＣカード１００をリーダ基板５２にかざす。すると、ＩＣカード１００とリーダ基板５２との間で通信が行われ、ＩＣカード１００の認証情報がリーダ基板５２によって読み取られる。リーダ基板５２の制御回路は、読み取った認証情報が予め記憶された特定の認証情報と合致するか否かを判別する。この結果、合致すると判別された場合、リーダ基板５２（制御回路）から主電気錠９に解錠信号が出力され、主電気錠９が解錠される。また、主電気錠９の解錠に連動して、リーダ基板５２から解錠信号が出力され、副電気錠１０が解錠される。一方、合致せずと判別された場合には、リーダ基板５２からの解錠信号が送信されず、主電気錠９の解錠は行われない。
【００７５】
また、他の解錠方法として、室外側から入室しようとする者が携帯型キー１０１を所持している場合、プッシュボタン５１を押すことによって、各電気錠９，１０の解錠が行われる。詳細には、プッシュボタン５１の押下情報がリーダ基板５２の制御回路に送信されると共に、携帯型キー１０１とアンテナ基板５３との間の無線通信の結果がリーダ基板５２の制御回路に送信される。制御回路は、携帯型キー１０１との通信情報（認証情報）が予め記憶された特定の認証情報と合致するか否かを判別し、判別結果に応じて、上記と同様に各電気錠９，１０の解錠が行われる（または解錠が行われない）。
【００７６】
以上のように、施解錠操作装置８が室外側グリップ３２に内装されているため、ユーザは施解錠操作装置８に対する施解錠操作を簡単に行うことができる。なお、例えば、電池６２の電力不足で施解錠操作装置８が動作しない場合、ユーザは、上下一対のシリンダカバー３０ａ，３１ａを取り外して各シリンダ９ｃ，１０ｃを露出させることで、機械的キーを用いて各電気錠９，１０の施解錠を行うことができる。
【００７７】
以上の第１実施形態に係る電気錠システム１によれば、扉２の内部にケーブルを通すことなく、室外側ハンドル５内に設けられた内設ケーブル５８を介して、扉２の内部に配置された各電気錠９，１０を互いに接続することができる。これにより、扉２の内部に対する配線のための加工を省略することができ、容易且つ短時間で内設ケーブル５８の配線作業を行うことができる。また、例えば工場出荷時等、予め室外側ハンドル５内に内設ケーブル５８を配設可能であるため、電気錠システム１の施工現場での作業工程を簡略化することができる。さらに、扉２の内部の断熱材や補強部材等を除去加工が不要であるため、扉２の断熱性能や強度性能を高く維持することができる。
【００７８】
また、室外側レバー６の回動範囲外に第１制御ケーブル５７が配設されているため、室外側レバー６と室外側ハンドル５との間に第１制御ケーブル５７が挟まれることを防止することができる。これにより、第１制御ケーブル５７の損傷（断線）を適切に防止することができる。
【００７９】
なお、第１制御ケーブル５７や第２制御ケーブル５９が貫通する各配線孔１４ｂ，３０ｂ，３１ｂ等に、摩擦係数の低い樹脂等からなるパッキン等を配設してもよい。
【００８０】
なお、図示は省略するが、内設ケーブル５８を保持するケーブル保持部として、例えば、独立した管状の部材を用いてもよい。この場合、管状のケーブル保持部に挿通させた内設ケーブル５８を、配線空間Ｓ５に配設し、グリップ本体３９ａとグリップカバー３９ｂとの間にケーブル保持部を挟み込むように位置決め固定する。なお、管状のケーブル保持部は、内設ケーブル５８を保護することができるように、弾力性を有する材料で形成されていることが好ましい。
【００８１】
なお、上記した第１実施形態に係る電気錠システム１では、内設ケーブル５８を配線空間Ｓ５の左右方向略中央に配設したが、左右いずれかに寄せて配設してもよい。なお、ケーブル保持部６５は、グリップカバー３９ｂ側に設けられていてもよい。また、ケーブル保持部６５の配設数は任意であり、内設ケーブル５８の配設位置に沿って複数のケーブル保持部６５を設けてもよい。
【００８２】
＜第２実施形態＞
次に、図６を参照し、本発明の第２実施形態に係る電気錠システム７０について説明する。図６は室内側ハンドル７１の一部を模式的に示す側断面図である。なお、以下の説明では、上記した第１実施形態に係る電気錠システム１と同様の構成については、同一の符号を付し、説明を省略する。
【００８３】
第２実施形態に係る電気錠システム７０では、室内側ハンドル７１の内部に主電気錠９と副電気錠１０とを電気的に接続する内設ケーブル７２が配設されている。
【００８４】
具体的には、室内側グリップ１５の前面（扉２に対向する面）には、内側配線空間Ｓ６を隔ててグリップ内側カバー７３が固定されている。室内側レバー挿入部１６と内側配線空間Ｓ６とは、隔壁７４によって仕切られている。なお、内側配線空間Ｓ６の上端部は内側配設空間Ｓ１に開放され、内側配線空間Ｓ６の下端部は電源凹部１４ａの内部に開放されている。
【００８５】
隔壁７４には、内側配線空間Ｓ６に向けて複数のケーブル保持部６５（挟持片６５ａ）が突設され、内側配線空間Ｓ６には、各ケーブル保持部６５に保持された状態の内設ケーブル７２が配設されている。内設ケーブル７２の上端側は、内側配設空間Ｓ１の下部を通って扉２の内部に進入し、主電気錠９（第１錠側プラグ６０ａ）に接続されている（図示せず）。内設ケーブル７２の下端側は、電源凹部１４ａの上部を通って扉２の内部に進入し、副電気錠１０（第２錠側プラグ６１ａ）に接続されている（図示せず）。すなわち、内設ケーブル７２は、室内側レバー４の回動範囲を避けて室内側ハンドル３を上下方向に貫通するように配設されている。なお、図示は省略するが、内設ケーブル７２の下端側は分岐しており、副電気錠１０の他に、アンテナ基板５３（第２制御ケーブル５９の第２ソケット５９ａ）に接続されている。なお、ケーブル保持部６５は、グリップ内側カバー７３に設けられていてもよい。
【００８６】
以上の第２実施形態に係る電気錠システム７０によれば、上記した第１実施形態に係るものと同様の作用効果を得ることができる。
【００８７】
なお、上記した各実施形態に係る電気錠システム１，７０において、室内側ハンドル３の室内側レバー４を、室外側ハンドル５の室外側レバー６のように構成してもよいし、室外側ハンドル５の室外側レバー６を、室内側ハンドル３の室内側レバー４のように構成してもよい。すなわち、室内側レバー挿入部１６は、室内側ハンドル３の室内側壁面２ｂ側または室内側のいずれか一方に開口していればよい。同様に、室外側レバー挿入部３３は、室外側ハンドル５の室外側壁面２ｃ側または室内側のいずれか一方に開口していればよい。
【００８８】
なお、上記した各実施形態に係る電気錠システム１，７０では、２つの電気錠９，１０が設けられていたが、これに限定されるものではなく、電気錠を３つ以上設けてもよい。この場合、電気錠の配設数に応じて、サムターン、シリンダおよびシリンダカバーを、それぞれ設けることが好ましい。
【００８９】
なお、上記した各実施形態に係る電気錠システム１，７０では、電池収容装置１１が下室内側台座１４に内設されていたが、これに代えて、上室内側台座１３、或いは室外側ハンドル５の各室外側台座３０，３１のいずれかに内設するようにしてもよい。また、電池収容装置１１の手前側の電池６２と奥側の電池６２とが上下方向に位置ずれして設けられていたが、本発明はこれに限定されない。例えば、各電池６２が上下方向に位置ずれせずに、同一の高さで並設される電池収容装置１２を構成してもよい。また、電池収容装置１１に保持させる電池６２の個数（本数）および形状は任意である。
【００９０】
なお、電池収容装置１１に代えて、例えば、扉２の外部に電源を配置してもよい。この場合、扉２の吊元に設置される通電金具や内部配線を介して、電源から施解錠操作装置６、各電気錠９，１０等に電力を供給することが好ましい。
【００９１】
なお、上記した各実施形態に係る内設ケーブル５８，７２の配線構造を、所謂面付きタイプのプッシュプルハンドルに適用してもよい。
【００９２】
なお、上記した本発明の各実施形態の説明は、本発明に係る電気錠システム１，７０における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９３】
１，７０  電気錠システム
２  扉
２ａ  木口
２ｂ  室内側壁面
２ｃ  室外側壁面
３，７１  室内側ハンドル（ハンドル）
４  室内側レバー（操作レバー）
５  室外側ハンドル（ハンドル）
６  室外側レバー（操作レバー）
７  ラッチ錠
７ａ  ラッチボルト
８  施解錠操作装置
９  主電気錠
１０  副電気錠
１３  上室内側台座（台座）
１４  下室内側台座（台座）
１５  室内側グリップ（固定グリップ）
１６  室内側レバー挿入部（レバー挿入部）
１６ａ  室内側開口部（開口部）
２１，３６  操作部
２２，３８  捩りコイルバネ（付勢手段）
３０  上室外側台座（台座）
３１  下室外側台座（台座）
３２  室外側グリップ（固定グリップ）
３３  室外側レバー挿入部（レバー挿入部）
３３ａ  室外側開口部（開口部）
５７  第１制御ケーブル（ケーブル）
５８，７２  内設ケーブル（ケーブル）
５９  第２制御ケーブル（ケーブル）
６５  ケーブル保持部
【図１】
2015129401.tif 000003
【図２】
2015129401.tif 000004
【図３】
2015129401.tif 000005
【図４】
2015129401.tif 000006
【図５】
2015129401.tif 000007
【図６】
2015129401.tif 000008